(57)【要約】  水平に配置された遮断器１と、分岐引出し口２ａに接続された接続母線６と、接続母線６に接続され分岐引出し口２ａと同軸上に配置された断路器５ａと、分岐引出し口２ｂに接続され分岐引出し口２ｂと同軸上に配置されるとともに断路器５ａよりも低い位置に配置された断路器５ｂと、断路器５ｂから水平方向に引出された線路母線１０と、分岐引出し口２ｂと同軸上で断路器５ｂの上方に配置され断路器５ａに接続されるとともに遮断器１の長手方向と直交する水平方向に延伸する主母線７と、断路器５ｂの上部に固定され主母線７を下方から支持する架台８と、を備えたガス絶縁開閉装置を提供する。
2012039059.tif 000002
【特許請求の範囲】
【請求項１】
水平に配置された筒状の遮断器タンクの側面に設けられ前記遮断器タンクの長手方向に互いに間隔をおいて配置されるとともにいずれも上方に向けて分岐した第１および第２の分岐引出し口を有する遮断器と、
前記第１の分岐引出し口に一端が接続され、上方に延伸する接続母線と、
この接続母線の他端に接続され、前記第１の分岐引出し口と同軸上に配置された第１の断路器と、
前記第２の分岐引出し口に接続され、前記第２の分岐引出し口と同軸上に配置されるとともに、前記第１の断路器よりも低い位置に配置された第２の断路器と、
この第２の断路器から水平方向に引出された線路母線と、
前記第２の分岐引出し口と同軸上で前記第２の断路器の上方に配置され、前記第１の断路器に接続されるとともに、前記遮断器タンクの長手方向と直交する水平方向に延伸する主母線と、
前記第２の断路器の上部に固定され、前記主母線を下方から支持する架台と、
を備えることを特徴とするガス絶縁開閉装置。
【請求項２】
前記主母線は、前記第１の断路器と同じ高さに配置されていることを特徴とする請求項１に記載のガス絶縁開閉装置。
【請求項３】
前記第１の分岐引出し口と前記接続母線との間には第１の計器用変流器が配置され、
前記第２の分岐引出し口と前記第２の断路器との間には第２の計器用変流器が配置されていることを特徴とする請求項１または２に記載のガス絶縁開閉装置。
【請求項４】
前記第２の断路器の上部には高速接地開閉器が設けられており、
前記架台は、前記高速接地開閉器と共に前記第２の断路器の上部に締結部材により共締めされ固定されていることを特徴とする請求項１または２に記載のガス絶縁開閉装置。
【請求項５】
前記遮断器タンクの前記長手方向における前記第２の分岐引出し口側の端部には前記遮断器の操作装置が横積みで設けられ、
前記線路母線は、前記長手方向でかつ前記操作装置の配置されている側に引き出されていることを特徴とする請求項１または２に記載のガス絶縁開閉装置。
【請求項６】
前記遮断器、前記接続母線、前記第１の断路器、前記第２の断路器、前記線路母線、前記主母線、および前記架台を備えてなる各相の遮断器ユニットを前記主母線の延伸方向に三相分並設してなる三相ユニットが複数個前記主母線の延伸方向に配列され、前記各相ごとに前記各三相ユニットの前記主母線が三相ユニット間で互いに接続されるとともに、前記三相ユニットの三相の前記線路母線は、前記主母線の延伸方向に対して、前記三相ユニットごとに交互に逆向きに引き出されていることを特徴とする請求項１または２に記載のガス絶縁開閉装置。
【請求項７】
前記第２の分岐引出し口の中心軸から前記遮断器タンクの長手方向における前記操作装置の最遠端までの距離と、前記中心軸から前記長手方向における前記第１の分岐引出し口側の前記遮断器タンクの端までの距離とが等しいことを特徴とする請求項６に記載のガス絶縁開閉装置。
【請求項８】
三相一括型であることを特徴とする請求項７に記載のガス絶縁開閉装置。
【発明の詳細な説明】
【技術分野】
【０００１】
本発明は、ガス絶縁開閉装置に関するものである。
【背景技術】
【０００２】
ガス絶縁開閉装置は、ＳＦ６（六フッ化硫黄）ガス等の絶縁性ガスを密閉充填した金属容器内に遮断器等の所要機器を配置して構成される。ガス絶縁開閉装置は、屋外または屋内のいずれに設置される場合でも、その据付面積の縮小化の要請は大きく、限られたスペースでいかに収納効率を上げて設置するかが大きな課題となっている。【０００３】
特許文献１では、側面に上方に向いた二つの分岐引出し口を有し長手方向を水平にして配置された遮断器と、遮断器の一方の分岐引出し口に接続された母線側機器と、遮断器の他方の分岐引出し口に接続された線路側機器とを備えたガス絶縁開閉装置において、母線側機器に含まれる母線が遮断器の上方かつ二つの分岐引出し口間にて遮断器の長手方向と直交する方向に延伸する構成が記載されている。
【先行技術文献】
【特許文献】
【０００４】
【特許文献１】特開２００８−２４５３７６号公報
【発明の概要】
【発明が解決しようとする課題】
【０００５】
しかしながら、上記特許文献１に記載のガス絶縁開閉装置によれば、母線は二つの分岐引出し口間に配置されることになるので、母線タンクの幅の分、遮断器の長手方向の長さが長くなり、その結果、ガス絶縁開閉装置の据付面積も大きくなるという問題点があった。【０００６】
本発明は、上記の問題点に鑑みてなされたものであって、据付面積を縮小化することが可能なガス絶縁開閉装置を提供することを目的とする。
【課題を解決するための手段】
【０００７】
上述した課題を解決し、目的を達成するために、本発明に係るガス絶縁開閉装置は、水平に配置された筒状の遮断器タンクの側面に設けられ前記遮断器タンクの長手方向に互いに間隔をおいて配置されるとともにいずれも上方に向けて分岐した第１および第２の分岐引出し口を有する遮断器と、前記第１の分岐引出し口に一端が接続され、上方に延伸する接続母線と、この接続母線の他端に接続され、前記第１の分岐引出し口と同軸上に配置された第１の断路器と、前記第２の分岐引出し口に接続され、前記第２の分岐引出し口と同軸上に配置されるとともに、前記第１の断路器よりも低い位置に配置された第２の断路器と、この第２の断路器から水平方向に引出された線路母線と、前記第２の分岐引出し口と同軸上で前記第２の断路器の上方に配置され、前記第１の断路器に接続されるとともに、前記遮断器タンクの長手方向と直交する水平方向に延伸する主母線と、前記第２の断路器の上部に固定され、前記主母線を下方から支持する架台と、を備えることを特徴とする。
【発明の効果】
【０００８】
この発明によれば、据付面積を縮小化することができる、という効果を奏する。【０００９】
また、この発明によれば、架台の構造が簡素化され、その取り付けも容易になる。
【図面の簡単な説明】
【００１０】
【図１】図１は、実施の形態１に係るガス絶縁開閉装置の構成を示す図である。
【図２】図２は、実施の形態１のガス絶縁開閉装置の解体手順の一部を示す図である。
【図３】図３は、本実施の形態に係るガス絶縁開閉装置の配置構成を示す上面図である。
【図４】図４は、（ａ）図３のＸ−Ｘ矢視側面図、（ｂ）図３のＹ−Ｙ矢視側面図である。
【図５】図５は、従来のガス絶縁開閉装置の構成を示す図である。
【図６】図６は、図５のガス絶縁開閉装置を図３と同様のレイアウトで配置した場合の配置構成を示す上面図である。
【図７】図７は、（ａ）図６のＸ−Ｘ矢視側面図、（ｂ）図６のＹ−Ｙ矢視側面図である。
【図８】図８は、操作装置が遮断器に縦積みされた場合のガス絶縁開閉装置の解体手順の一部を示す図である。
【発明を実施するための形態】
【００１１】
以下に、本発明に係るガス絶縁開閉装置の実施の形態を図面に基づいて詳細に説明する。なお、これらの実施の形態によりこの発明が限定されるものではない。
【００１２】
実施の形態１．
図１は、本実施の形態に係るガス絶縁開閉装置の構成を示す図である。図１に示すように、遮断器１は、いわゆる横形の遮断器であり、その長手方向を水平にして配置され、据付面４０に設置された架台３０により支持されている。遮断器１の遮断器タンクの側面には、長手方向に所定の間隔で配置されかついずれも上方に向けて分岐した一対の分岐引出し口２ａ，２ｂが設けられている。分岐引出し口２ａ，２ｂは、遮断器タンクの長手方向の中心から例えば等距離のところに設けられている。遮断器タンクは、筒状の金属容器であり、接地されており、遮断器タンクの内部には図示しない遮断部が収納されている。なお、本実施の形態のガス絶縁開閉装置は、三相一括型または相分離型のいずれにも適用可能である。
【００１３】
遮断器１の長手方向の一端部、具体的には、分岐引出し口２ｂの側の端部には、遮断器１の操作装置３が横積みで設けられている。操作装置３は、外枠を構成する箱の内部に操作部（図示せず）を収納して構成され、この箱には遮断器１の長手方向側に扉４５が設けられ、この扉４５は例えば開閉レバー４６を操作して開閉される。図示例では、操作装置３の扉４５は閉じた状態であるが、扉４５が開いた状態では、操作装置３を含めた遮断器１の長手方向の長さは図示例よりも大きくなる。すなわち、扉４５が全開した状態では、操作装置３を含めた遮断器１の長手方向の長さはＡとなる。扉開状態端２５は、扉４５を全開した状態での扉４５の端の位置を示すものである。
【００１４】
分岐引出し口２ａには計器用変流器４ａが接続されている。計器用変流器４ａは、遮断器１の上部に配置される。計器用変流器４ａは、遮断器１の遮断部に接続された通電部である中心導体（図示せず）に流れる電流を計測する。
【００１５】
計器用変流器４ａには、上方に延伸する筒状の接続母線６が接続されている。さらに、接続母線６には断路器５ａが接続されている。すなわち、接続母線６の一端は計器用変流器４ａに接続され、その他端は断路器５ａに接続されている。また、計器用変流器４ａ、接続母線６、および断路器５ａは、分岐引出し口２ａと同軸上でかつ遮断器１の上方に配置されている。断路器５ａは、例えば接地開閉器付きの断路器とすることができる。なお、この接地開閉器を断路器５ａと別に設けることもできる。断路器５ａには、主母線７が接続されている。
【００１６】
分岐引出し口２ｂには計器用変流器４ｂが接続されている。計器用変流器４ｂは、遮断器１の上部に配置される。計器用変流器４ｂは、遮断器１の遮断部に接続された通電部である中心導体（図示せず）に流れる電流を計測する。なお、図１では、分岐引出し口２ａ，２ｂにそれぞれ計器用変流器４ａ，４ｂが取り付けられているが、例えばいずれか一方に取り付けるなどの構成も可能である。
【００１７】
計器用変流器４ｂには、断路器５ｂが接続されている。断路器５ｂの配置高さは、断路器５ａの配置高さよりも接続母線６の長さ分低くなっている。断路器５ｂは、例えば接地開閉器付きの断路器とすることができる。なお、この接地開閉器を断路器５ｂと別に設けることもできる。
【００１８】
断路器５ｂには線路母線１０が接続され、この線路母線１０は例えば遮断器１の長手方向と同方向でかつ操作装置３の配置されている側に引き出されている。線路母線１０には、図示しない例えばケーブルヘッドまたは気中ブッシングが接続される。
【００１９】
断路器５ｂの上部には架台８が固定され、この架台８は断路器５ｂの上方に配置された主母線７を下方から支持している。主母線７は、分岐引出し口２ｂと同軸上に配置されている。また、主母線７は、例えば断路器５ａと同じ高さに配置されている。この構成は、主母線７と断路器５ａとの間が最短になるので好ましい。ただし、主母線７を断路器５ａと異なる高さに配置することもできる。主母線７は、例えば遮断器１の長手方向と直交する方向に延伸している。
【００２０】
架台８は、主母線７を直接受ける支持部８ａとこの支持部８ａに接続された脚部８ｂとからなる。主母線７は、架台８の支持部８ａにより主母線７の延伸方向に可動に支持されている。そのため、支持部８ａは例えば断面Ｕ字状またはＶ字状である。したがって、振動や収縮等により主母線７が延伸方向に移動したとしても、その応力が架台８に大きな負荷として加わることはない。
【００２１】
断路器５ｂの上部には、高速接地開閉器（Fast Earth Switching）９が設置されている。高速接地開閉器９は、例えばアーク電流を強制的に消滅させて高速再閉路を可能とする。高速接地開閉器９の一部であってその下部に設けられたフランジ９ｂは、断路器５ｂの天板５０に例えばボルト等の締結部材により締結され固定されている。この際、架台８の脚部８ｂは、フランジ９ｂとともに天板５０に共締めされている。これにより、高速接地開閉器９と架台８とを断路器５ｂ上に効率的に組み立てることができる。さらに、断路器５ｂの天板５０は平板状であることから、架台８の取り付けが容易である。
【００２２】
次に、本実施の形態の構成と比較するために、横形の遮断器を備えた従来のガス絶縁開閉装置の構成について説明する。図５は、従来のガス絶縁開閉装置の構成を示す図である。
【００２３】
図５に示すように、従来のガス絶縁開閉装置は、横形の遮断器１０１と、据付面１４０上に設置され遮断器１０１を支持する架台１３０と、遮断器１０１の遮断器タンクの側面に設けられいずれも上方に向けて分岐した一対の分岐引出し口１０２ａ，１０２ｂと、分岐引出し口１０２ａの上部に設けられた計器用変流器１０４ａと、計器用変流器１０４ａの上部に設けられた断路器１０５ａと、断路器１０５ａに接続され遮断器１０１の上方でかつ分岐引出し口１０２ａ，１０２ｂ間に配置された主母線１０７と、遮断器１０１の上部でかつ分岐引出し口１０２ａ，１０２ｂ間に固定され主母線１０７を下方から支持する架台１０８と、分岐引出し口１０２ｂの上部に設けられた計器用変流器１０４ｂと、計器用変流器１０４ｂの上部に設けられた断路器１０５ｂと、断路器１０５ｂに接続された線路母線１１０と、断路器１０５ｂの上部に設けられた高速接地開閉器１０９と、遮断器１０１に横積みで設けられた遮断器１０１の操作装置１０３と、を備えて構成される。
【００２４】
図５では、主母線１０７は、分岐引出し口１０２ａ，１０２ｂ間で遮断器１０１の長手方向と直交する方向に延設されている。したがって、分岐引出し口１０２ａ，１０２ｂ間の間隔は、少なくとも主母線１０７のタンク径より大きくする必要があり、遮断器１０１の長手方向の長さが必然的に大きくなる。これに対して、本実施の形態では、主母線７は分岐引出し口２ｂの上方にて分岐引出し口２ｂと同軸上に配置されているので、分岐引出し口２ａ，２ｂ間の間隔を、主母線タンク幅の分、図５に比べてより短くすることができ、遮断器１の長手方向の長さはより短くなる（図１）。したがって、操作装置３を含めた遮断器１の長手方向の長さＡは、操作装置１０３を含めた遮断器１０１の長手方向の長さＢよりも短くすることができる。なお、図５では、操作装置１０３の扉１４５、扉１４５に設けられた開閉レバー１４６、および扉開状態端１２５を示している。ここで、扉開状態端１２５は、扉１４５が全開した状態において、遮断器１０１の中心からの扉１４５の最遠端を表す。
【００２５】
また、図５では、主母線１０７を支持するために架台１０８は遮断器１０１上に固定する必要があるが、遮断器１０１は円筒状であることから、架台１０８の下部を遮断器１０１上に固定するのは容易ではなく、取り付けのための構造が別に必要になり、その取り付けも手間がかかる。これに対して、本実施の形態では、架台８は、断路器５ｂの例えば平板状の天板５０の上に固定すればよいので、架台８の構造も簡素化され、その取り付けも容易である。さらに、架台８は、高速接地開閉器９と共締めをすることで、断路器５ｂに効率よく取り付けることもできる。
【００２６】
以上説明したように、本実施の形態によれば、分岐引出し口２ｂの上方に主母線７を配置することができるので、従来に比べて遮断器１の長手方向の長さをより短くすることができ、ガス絶縁開閉装置の据付面積を縮小することができる。
【００２７】
また、本実施の形態によれば、主母線７を支持する架台８を断路器５ｂの上部に配置すればよいので、従来に比べて架台８の構造が簡素化され、その取り付けも容易になる。
【００２８】
なお、図１では、操作装置３は遮断器１の長手方向における分岐引出し口２ｂ側の端部に横積みで設けているが、これはガス絶縁開閉装置の解体が容易になるからである。これを、図２と図８を比較して説明する。図２は、本実施の形態のガス絶縁開閉装置の解体手順の一部を示す図であり、詳細には、操作装置３が遮断器１に横積みされた場合のガス絶縁開閉装置の解体手順の一部を示す図である。また、図８は、操作装置１５３が遮断器１０１に縦積みされた場合のガス絶縁開閉装置の解体手順の一部を示す図である。
【００２９】
まず、図２では、図１の一部である遮断器１、操作装置３、および架台３０が示されている。また、遮断器１では、遮断器タンク内に配置された内部部品５５が示されている。ここで内部部品５５は遮断部などを含む遮断器１の構成部品である。図示例のように操作装置３が遮断器１に横積みで設けられている場合は、解体部位３３にて内部部品５５を断路器５ａ，５ｂ側から切り離した後、内部部品５５と操作装置３を一体的に遮断器タンクから引き抜くことにより、内部部品５５および操作装置３を解体することができる。このとき、内部部品５５および操作装置３を引き抜く方向は遮断器１の長手方向である（図中の矢印参照）。
【００３０】
他方、図８では、横形の遮断器１０１、遮断器１０１を支持する架台１３０、および遮断器１０１の下部に設けられたその操作装置１５３が示されている。また、遮断器１０１では、遮断器タンク内に配置された内部部品１５５が示されている。ここで内部部品１５５は遮断部などを含む遮断器１０１の構成部品である。操作装置１５３は、遮断器１０１の下部にていわゆる縦積みで設けられている。この場合、まず、解体部位１３３にて操作装置１５３を内部部品１５５から切り離し、操作装置１５３を下方に移動させ、操作装置１５３の解体を行う。そして、解体部位１３４にて内部部品１５５を断路器（図示せず）側から切り離し、内部部品１５５を遮断器タンクからその長手方向に引き抜くことにより、内部部品１５５を解体することができる。つまり、縦積みの場合は、内部部品１５５と操作装置３は二段階に分けて解体することになる。よって、操作装置の横積み配置は、縦積み配置に比べて解体が容易である。組立の作業性についても同様である。なお、図１において、操作装置３を図８のように縦積みで配置することもできる。
【００３１】
実施の形態２．
図３は、本実施の形態に係るガス絶縁開閉装置の配置構成を示す上面図である。また、図４は、（ａ）図３のＸ−Ｘ矢視側面図、（ｂ）図３のＹ−Ｙ矢視側面図である。
【００３２】
図３に示すように、本実施の形態のガス絶縁開閉装置は、主母線７の延伸方向に並設された三相ユニット１２−１〜１２−３を備えて構成される。三相ユニット１２−１は、Ｕ相の遮断器ユニット１３Ｕと、Ｖ相の遮断器ユニット１３Ｖと、Ｗ相の遮断器ユニット１３Ｗとを主母線７の延伸方向に並設して構成される。ここで、例えばＶ相の遮断器ユニット１３Ｖは、遮断器１、操作装置３、計器用変流器４ａ，４ｂ、断路器５ａ，５ｂ、接続母線６、主母線７、架台８、高速接地開閉器９、および線路母線１０を備えており（図４（ａ））、その構成は実施の形態１で説明した図１の構成と同じである。ただし、遮断器ユニット１３Ｖでは、分岐引出し口２ｂの中心軸または主母線７の母線中心から遮断器タンクの長手方向における操作装置３の最遠端（扉開状態端２５）までの距離と、分岐引出し口２ｂの中心軸または主母線７の母線中心から前記長手方向における分岐引出し口２ａ側の遮断器タンクの端までの距離とが等しく、それぞれＡ／２となっている（図４（ａ））。Ｖ相と同様の構成は、Ｕ相の遮断器ユニット１３ＵおよびＷ相の遮断器ユニット１３Ｗについても成り立つ。
【００３３】
三相ユニット１２−１の各相の遮断器１は互いに平行に配置されるとともに主母線７の延伸方向に配列される。また、三相ユニット１２−１の各相の主母線７は母線タンク１７を共有し、この母線タンク１７内には各相の中心導体（図示せず）が三相一括で収納されている。さらに、三相ユニット１２−１の各相の線路母線１０は同じ方向に引き出されている。
【００３４】
三相ユニット１２−２は、Ｕ相の遮断器ユニット１４Ｕと、Ｖ相の遮断器ユニット１４Ｖと、Ｗ相の遮断器ユニット１４Ｗとを主母線７の延伸方向に並設して構成される。ここで、例えばＶ相の遮断器ユニット１４Ｖは、遮断器１、操作装置３、計器用変流器４ａ，４ｂ、断路器５ａ，５ｂ、接続母線６、主母線７、架台８、高速接地開閉器９、および線路母線１０を備えており（図４（ｂ））、その構成は実施の形態１で説明した図１の構成と同じである。ただし、遮断器ユニット１４Ｖでは、分岐引出し口２ｂの中心軸または主母線７の母線中心から遮断器タンクの長手方向における操作装置３の最遠端（扉開状態端２５）までの距離と、分岐引出し口２ｂの中心軸または主母線７の母線中心から前記長手方向における分岐引出し口２ａ側の遮断器タンクの端までの距離とが等しく、それぞれＡ／２となっている（図４（ｂ））。さらに、遮断器ユニット１４Ｖの線路母線１０の引き出し方向は、遮断器ユニット１３Ｕ，１３Ｖ，１３Ｗの線路母線１０の引き出し方向と逆向きである。Ｖ相と同様の構成は、Ｕ相の遮断器ユニット１４ＵおよびＷ相の遮断器ユニット１４Ｗについても成り立つ。
【００３５】
三相ユニット１２−２の各相の遮断器１は互いに平行に配置されるとともに主母線７の延伸方向に配列される。また、三相ユニット１２−２の各相の主母線７は母線タンク１７を共有し、この母線タンク１７内には各相の中心導体（図示せず）が三相一括で収納されている。そして、三相ユニット１２−２の母線タンク１７は三相ユニット１２−１の母線タンク１７と母線中心を一致させて互いに接続され、母線タンク１７内では各相の中心導体（図示せず）が互いに接続されている。すなわち、三相ユニット間で各相ごとに主母線７が互いに接続される。
【００３６】
三相ユニット１２−３は、Ｕ相の遮断器ユニット１５Ｕと、Ｖ相の遮断器ユニット１５Ｖと、Ｗ相の遮断器ユニット１５Ｗとを主母線７の延伸方向に並設して構成される。ここで、例えばＶ相の遮断器ユニット１５Ｖは、遮断器１、操作装置３、計器用変流器４ａ，４ｂ、断路器５ａ，５ｂ、接続母線６、主母線７、架台８、高速接地開閉器９、および線路母線１０を備えており、その構成は実施の形態１で説明した図１の構成と同じである。ただし、遮断器ユニット１５Ｖでは、分岐引出し口２ｂの中心軸または主母線７の母線中心から遮断器タンクの長手方向における操作装置３の最遠端（扉開状態端２５）までの距離と、分岐引出し口２ｂの中心軸または主母線７の母線中心から前記長手方向における分岐引出し口２ａ側の遮断器タンクの端までの距離とが等しく、それぞれＡ／２となっている。さらに、遮断器ユニット１５Ｖの線路母線１０の引き出し方向は、遮断器ユニット１３Ｕ，１３Ｖ，１３Ｗの線路母線１０の引き出し方向と同じ向きであり、遮断器ユニット１４Ｕ，１４Ｖ，１４Ｗの線路母線１０の引き出し方向と逆向きである。Ｖ相と同様の構成は、Ｕ相の遮断器ユニット１５ＵおよびＷ相の遮断器ユニット１５Ｗについても成り立つ。
【００３７】
三相ユニット１２−３の各相の遮断器１は互いに平行に配置されるとともに主母線７の延伸方向に配列される。また、三相ユニット１２−３の各相の主母線７は母線タンク１７を共有し、この母線タンク１７内には各相の中心導体（図示せず）が三相一括で収納されている。そして、三相ユニット１２−３の母線タンク１７は三相ユニット１２−２の母線タンク１７と母線中心を一致させて互いに接続され、母線タンク１７内では各相の中心導体（図示せず）が互いに接続されている。すなわち、三相ユニット間で各相ごとに主母線７が互いに接続される。
【００３８】
このように、三相ユニット１２−１の三相の線路母線１０の引き出し方向と三相ユニット１２−２の三相の線路母線１０の引き出し方向は互いに逆向きであり、三相ユニット１２−２の三相の線路母線１０の引き出し方向と三相ユニット１２−３の三相の線路母線１０の引き出し方向は互いに逆向きである。
【００３９】
本実施の形態によれば、三相ユニット１２−１〜１２−３の配列方向（具体的には、主母線７の延伸方向）に対して、線路母線１０の引き出し方向が三相ユニットごとに交互に逆向きに配置されるよう構成したので、線路母線１０の引き出し方向を三相ユニット１２−１〜１２−３のすべてについて同じ方向とした場合のように三相ユニット間の距離を確保して線路母線１０同士がぶつからないようにする必要がない。そのため、主母線７の長さをより短くすることができ、据付面積の縮小化につながる。
【００４０】
次に、本実施の形態の構成と比較するために、図５のガス絶縁開閉装置を図３と同様のレイアウトで配置した構成について説明する。
【００４１】
図６は、図５のガス絶縁開閉装置を図３と同様のレイアウトで配置した場合の配置構成を示す上面図である。また、図７は、（ａ）図６のＸ−Ｘ矢視側面図、（ｂ）図６のＹ−Ｙ矢視側面図である。
【００４２】
図６に示すように、本実施の形態のガス絶縁開閉装置は、主母線１０７の延伸方向に並設された三相ユニット１００−１〜１００−３を備えて構成される。三相ユニット１００−１は、Ｕ相の遮断器ユニット１１３Ｕと、Ｖ相の遮断器ユニット１１３Ｖと、Ｗ相の遮断器ユニット１１３Ｗとを主母線１０７の延伸方向に並設して構成される。ここで、例えばＶ相の遮断器ユニット１１３Ｖは、遮断器１０１、操作装置１０３、計器用変流器１０４ａ，１０４ｂ、断路器１０５ａ，１０５ｂ、主母線１０７、架台１０８、高速接地開閉器１０９、および線路母線１１０を備えており（図７（ａ））、その構成は実施の形態１で説明した図５の構成と同じである。Ｖ相と同様の構成は、Ｕ相の遮断器ユニット１１３ＵおよびＷ相の遮断器ユニット１１３Ｗについても成り立つ。
【００４３】
三相ユニット１００−１の各相の遮断器１０１は互いに平行に配置されるとともに主母線１０７の延伸方向に配列される。また、三相ユニット１００−１の各相の主母線１０７は母線タンク１１７を共有し、この母線タンク１１７内には各相の中心導体（図示せず）が三相一括で収納されている。さらに、三相ユニット１００−１の各相の線路母線１１０は同じ方向に引き出されている。
【００４４】
三相ユニット１００−２は、Ｕ相の遮断器ユニット１１４Ｕと、Ｖ相の遮断器ユニット１１４Ｖと、Ｗ相の遮断器ユニット１１４Ｗとを主母線１０７の延伸方向に並設して構成される。ここで、例えばＶ相の遮断器ユニット１１４Ｖは、遮断器１０１、操作装置１０３、計器用変流器１０４ａ，１０４ｂ、断路器１０５ａ，１０５ｂ、主母線１０７、架台１０８、高速接地開閉器１０９、および線路母線１１０を備えており（図７（ｂ））、その構成は実施の形態１で説明した図５の構成と同じである。さらに、遮断器ユニット１１４Ｖの線路母線１１０の引き出し方向は、遮断器ユニット１１３Ｕ，１１３Ｖ，１１３Ｗの線路母線１１０の引き出し方向と逆向きである。Ｖ相と同様の構成は、Ｕ相の遮断器ユニット１１４ＵおよびＷ相の遮断器ユニット１１４Ｗについても成り立つ。
【００４５】
三相ユニット１００−２の各相の遮断器１０１は互いに平行に配置されるとともに主母線１０７の延伸方向に配列される。また、三相ユニット１００−２の各相の主母線１０７は母線タンク１１７を共有し、この母線タンク１１７内には各相の中心導体（図示せず）が三相一括で収納されている。そして、三相ユニット１００−２の母線タンク１１７は三相ユニット１００−１の母線タンク１１７と母線中心を一致させて互いに接続され、母線タンク１１７内では各相の中心導体（図示せず）が互いに接続されている。
【００４６】
三相ユニット１００−３は、Ｕ相の遮断器ユニット１１５Ｕと、Ｖ相の遮断器ユニット１１５Ｖと、Ｗ相の遮断器ユニット１１５Ｗとを主母線１０７の延伸方向に並設して構成される。ここで、例えばＶ相の遮断器ユニット１１５Ｖは、遮断器１０１、操作装置１０３、計器用変流器１０４ａ，１０４ｂ、断路器１０５ａ，１０５ｂ、主母線１０７、架台１０８、高速接地開閉器１０９、および線路母線１１０を備えており、その構成は実施の形態１で説明した図５の構成と同じである。さらに、遮断器ユニット１１５Ｖの線路母線１１０の引き出し方向は、遮断器ユニット１１３Ｕ，１１３Ｖ，１１３Ｗの線路母線１１０の引き出し方向と同じ向きであり、遮断器ユニット１１４Ｕ，１１４Ｖ，１１４Ｗの線路母線１１０の引き出し方向と逆向きである。Ｖ相と同様の構成は、Ｕ相の遮断器ユニット１１５ＵおよびＷ相の遮断器ユニット１１５Ｗについても成り立つ。
【００４７】
三相ユニット１００−３の各相の遮断器１０１は互いに平行に配置されるとともに主母線１０７の延伸方向に配列される。また、三相ユニット１００−３の各相の主母線１０７は母線タンク１１７を共有し、この母線タンク１１７内には各相の中心導体（図示せず）が三相一括で収納されている。そして、三相ユニット１００−３の母線タンク１１７は三相ユニット１００−２の母線タンク１１７と母線中心を一致させて互いに接続され、母線タンク１１７内では各相の中心導体（図示せず）が互いに接続されている。
【００４８】
図６では、三相ユニット１００−１〜１００−３の配列方向（具体的には、主母線１０７の延伸方向）に対して、線路母線１１０の引き出し方向が三相ユニットごとに交互に逆向きに配置されるようにしているが、この構成により、遮断器１０１の長手方向における遮断器１０１および操作装置１０３の延在範囲は（Ｂ＋α）となる。ここで、αは遮断器１０１の長手方向における操作装置１０３の最大長である。これに対し、図３では、遮断器１の長手方向における遮断器１および操作装置３の延在範囲はＡとなる。これは、図３では、分岐引出し口２ｂの中心軸から遮断器タンクの長手方向における操作装置３の最遠端（扉開状態端２５）までの距離と、分岐引出し口２ｂの中心軸から前記長手方向における分岐引出し口２ａ側の遮断器タンクの端までの距離とを等しくしたからである。そして、実施の形態１で説明したように、Ａ＜Ｂであるので、Ａ＜（Ｂ＋α）であるとともに、遮断器１の長手方向における長さの差はより一層大きくなっている。このように、遮断器１の長手方向における遮断器１および操作装置３の延在範囲は、図６の配置構成に比べてより短くなり、据付面積の縮小化につながる。
【００４９】
以上説明したように、本実施の形態によれば、三相ユニット１２−１〜１２−３の配列方向（具体的には、主母線７の延伸方向）に対して、線路母線１０の引き出し方向が三相ユニットごとに交互に逆向きに配置されるよう構成したので、主母線７の長さをより短くすることができ、据付面積の縮小化につながる。
【００５０】
また、本実施の形態によれば、分岐引出し口２ｂの中心軸または主母線７の母線中心から遮断器タンクの長手方向における操作装置３の最遠端（扉開状態端２５）までの距離と、分岐引出し口２ｂの中心軸または主母線７の母線中心から前記長手方向における分岐引出し口２ａ側の遮断器タンクの端までの距離を等しくしたので、遮断器１の長手方向における遮断器１および操作装置３の延在範囲は従来に比べてより短くなり、据付面積の縮小化につながる。
【００５１】
なお、図３では、三相ユニットの個数を例えば三個としたが、これに限定されず、一般に複数個設けることができる。そして、これらの複数個の三相ユニットについて、三相ユニットの配列方向に対して線路母線１０の引き出し方向を三相ユニットごとに交互に逆向きに配置することができる。
【００５２】
また、３個以上の三相ユニットを配列する場合において、少なくとも１個以上の三相ユニットと残りの１個以上の三相ユニットの線路母線１０の引き出し方向を互いに逆向きとする構成も可能である。この場合、主母線７の長さは、すべての三相ユニットについて線路母線１０の引き出し方向を同一方向とする場合に比べるとより短くなるので、据付面積を縮小化するという効果を有する。例えば、図３において、三相ユニット１２−１，１２−２の線路母線１０の引き出し方向はそのままにして、三相ユニット１２−３の線路母線１０の引き出し方向を図示例とは逆向きに構成することもできる。
【００５３】
なお、本実施の形態では、三相一括型の場合について説明したが、相分離型の場合についても同様である。この場合、遮断器ユニット１３Ｕ，１４Ｕ，１５Ｕの主母線７が互いに接続され、遮断器ユニット１３Ｖ，１４Ｖ，１５Ｖの主母線７が互いに接続され、遮断器ユニット１３Ｗ，１４Ｗ，１５Ｗの主母線７が互いに接続されるとともに、三相の主母線７は互いに異なる高さに配置される。
【産業上の利用可能性】
【００５４】
以上のように、本発明は、ガス絶縁開閉装置として有用である。
【符号の説明】
【００５５】
１     遮断器
２ａ，２ｂ    分岐引出し口
３     操作装置
４ａ，４ｂ    計器用変流器
５ａ，５ｂ    断路器
６     接続母線
７     主母線
８     架台
８ａ   支持部
８ｂ   脚部
９     高速接地開閉器
９ｂ   フランジ
１０   線路母線
１２−１〜１２−３   三相ユニット
１３Ｕ，１３Ｖ，１３Ｗ      遮断器ユニット
１４Ｕ，１４Ｖ，１４Ｗ      遮断器ユニット
１５Ｕ，１５Ｖ，１５Ｗ      遮断器ユニット
１７   母線タンク
２５   扉開状態端
３０   架台
３３   解体部位
４０   据付面
４５   扉
４６   開閉レバー
５０   天板
５５   内部部品
１００−１〜１００−３      三相ユニット
１０１ 遮断器
１０２ａ，１０２ｂ   分岐引出し口
１０３ 操作装置
１０４ａ，１０４ｂ   計器用変流器
１０５ａ，１０５ｂ   断路器
１０７ 主母線
１０８ 架台
１０９ 高速接地開閉器
１１０ 線路母線
１１３Ｕ，１１３Ｖ，１１３Ｗ遮断器ユニット
１１４Ｕ，１１４Ｖ，１１４Ｗ遮断器ユニット
１１５Ｕ，１１５Ｖ，１１５Ｗ遮断器ユニット
１１７ 母線タンク
１３０ 架台
１３３，１３４解体部位
１４０ 据付面
１４５ 扉
１４６ 開閉レバー
１５３ 操作装置
１５５ 内部部品
【図１】
2012039059.tif 000003
【図２】
2012039059.tif 000004
【図３】
2012039059.tif 000005
【図４】
2012039059.tif 000006
【図５】
2012039059.tif 000007
【図６】
2012039059.tif 000008
【図７】
2012039059.tif 000009
【図８】
2012039059.tif 000010
【国際調査報告】
2012039059.tif 000011
2012039059.tif 000012
2012039059.tif 000013